(57)【要約】【課題】本発明は、シールの接着面に溶剤によって溶けて変形するインク層を設けることによって不正を見破ることができる封印シールを提供することを目的とするものである【解決手段】本発明に係る封印シール１は、透明状の基材シート２と、前記基材シート２の片面に塗布される接着材４と、前記接着材４上に施される文字あるいは図柄形状の有機顔料５を備えた構成とする。【選択図】図２
2008032902.tif 000002
【特許請求の範囲】
【請求項１】
透明状の基材シートと、
前記基材シートの片面に塗布される接着材と、
前記接着材上に施される文字あるいは図柄形状の有機顔料を備える
ことを特徴とする封印シール。
【請求項２】
前記有機顔料が油性、あるいは水性の溶剤によって溶ける
ことを特徴とする請求項１記載の封印シール。
【発明の詳細な説明】
【技術分野】
【０００１】
本発明は、封印シールに関する。詳しくはパチンコ、あるいはスロットなどの遊技機の制御装置の封印に使用される封印シールに係るものである。
【０００２】
パチンコ、あるいはスロットなどの遊技機においては、例えばパチンコでは大当たりの判定を行ったり大入賞装置の開閉を制御したり、あるいはスロットではスロットルの当たりの頻度を制御するための遊技制御装置が設けられている。この遊技制御装置はマイクロコンピューターであり、その制御はＲＯＭに格納されているプログラムに従っている。
【０００３】
そこで前記ＲＯＭは不審者によって有利な制御となるようにプログラムを改変できないように鍵付きの収納ケースにより容易にＲＯＭの交換を行えないようにする。あるいは開閉口に封印シールを貼ることにより、不正者の侵入を確認する手段が取られている。
【０００４】
この封印シールの例としては、透明な封印シールの粘着面側にシルバー等の印刷層を設け、その印刷層中では例えば「開封済み」の文字部分と他の部分とで、封印シール本体側への接着強度を異ならせたものがある。この封印シールを収納ケースに貼り付けた後に剥がすと、「開封済み」の文字部分が収納ケース側に残留し、封印シールにはその文字部分が抜け落ちた跡が「開封済み」の文字として現れるために、たとえ張り直しても元の封印シールに戻ることができず、不正行為があったことを外観上で確認することができる。
【０００５】
【特許文献１】特開平１１−４３１６７号公報
【発明の開示】
【発明が解決しようとする課題】
【０００６】
しかしながら前記封印シールは、透明のポリエチレンフィルム上に店舗独自の印刷を施し、その上に接着剤を塗布したものが多く、例えばベンジンやエタノールなどの溶液を収納ケース面と封印シールとの間に少しずつ流し込みながらドライヤーなどにより熱風を与え、接着剤を溶かして封印シールを剥がし、不正をしたＲＯＭに交換した後に、剥がした封印シールを再び接着することで、外観では不正が行われたことを見破ることができず、封印シールとしての役割を十分に果たすことができない問題があった。
【０００７】
本発明では、以上の点に鑑みて創案されたものであって、シールの接着面に溶剤によって溶けて変形するインク層を設けることによって不正を見破ることができる封印シールを提供することを目的とするものである。
【課題を解決するための手段】
【０００８】
上記の目的を達成するために、本発明に係る封印シールは、透明状の基材シートと、前記基材シートの片面に塗布される接着材と、前記接着材上に施される文字あるいは図柄形状の有機顔料を備えた構成とする。
【０００９】
ここで、封印シールの基材シートと、収納ケースとの接触面との間にベンジンやエタノールなどの溶剤が流し込まれた場合に、接着材上に施される文字あるいは図柄形状の有機顔料が溶け出して、その文字、あるいは模様が崩れることにより不正を確認することができる。
【発明の効果】
【００１０】
本発明の封印シールでは、一般的に入手し易い溶剤に濡れるとコバルトなどの有機顔料によって描かれた文字、あるいは模様が溶け出してその形態を留めないこととなり、溶剤を使用して剥がそうとする不正行為を簡単に見破ることができる。
【発明を実施するための最良の形態】
【００１１】
以下、本発明の実施の形態を図面を参酌しながら説明し、本発明の理解に供する。
図１に、本発明に適用した封印シールの一例を示すための斜視図、図２は図１における裏面図、図３は、図２における断面図を示す。
【００１２】
ここで示す封印シール１は、長方形でポリエチレンなどの透明状の合成樹脂素材より形成されるシート基材２の表面には「検査済」の文字やメーカー名（○○株式会社）などの文字３がインクによって印刷されている。
【００１３】
次に、前記シート基材２の裏面には、例えばアクリル酸樹脂よりなる接着材４が全面に塗布されている。この接着材４は透明状であるために前記文字３等の識別を阻害するものではない。
【００１４】
そこで、前記シート基材２の裏面の各辺に沿って一定幅の有機顔料５を接着材４に含浸させるものであり、この有機顔料５は油性、あるいは水性の溶剤によって溶け出す、例えばコバルト金属粉を用いた青色顔料等を使用する。
【００１５】
そして前記シート基材２の裏面に設けられる接着材４および有機顔料５上面には、アクリル樹脂が塗布された剥離紙６が貼着される。
【００１６】
したがって、図４に示すように被対象物である収納ケース６面に前記封印シール１を貼り付ける場合には、まず、シート基材２裏面に貼着される剥離紙６を剥がして前記収納ケース６面にシート基材２の裏面を貼り付ける。
【００１７】
この時点では「検査済」の文字が識別できることになる。そこで夜間などのパチンコホールへの侵入者が、ベンジンやエタノールなどの溶剤とヘラを使用して、まず、ヘラによってシート基材２と前記収納ケース６面との間に小さな隙間を設けて、その隙間より溶剤を流し込みながらシート基材２を剥がす際に、前記有機顔料５が溶け出して変形することにより、封印シール１の再使用ができなくなり、不正を見破ることが可能となる。
【００１８】
また、図５に示すように、前記シート基材２の裏面に接着材４を塗布し、その接着材４表面に有機顔料５によって特殊な模様や文字を描くことにより、溶剤を使用した場合には、有機顔料５が溶剤によって溶け出すことにより、模様や文字が変形し、封印シール１の再使用ができなくなる。
【００１９】
このように本発明の封印シールにおいては、従来例とした詳述したように、その印刷層中では例えば「開封済み」の文字部分と他の部分とで、封印シール本体側への接着強度を異ならせる構成とした封印シール１のシート基材２の裏面の接着材４表面に有機顔料５によって特殊な模様や文字を描くことにより、この封印シールを収納ケースに貼り付けた後に剥がすと、「開封済み」の文字部分が収納ケース側に残留し、封印シールにはその文字部分が抜け落ちた跡が「開封済み」の文字として現れるために、たとえ張り直しても元の封印シールに戻ることができず、また、溶剤を使用した場合には、有機顔料５が溶剤によって溶け出すことにより、模様や文字が変形し、封印シール１の再使用ができなくなり、封印シールを貼り替えることが不可能となる。
【００２０】
なお、本実施例で詳述する有機顔料は必ずしもコバルト金属粉を使用したコバルト（青色系）である必要性はなく、油性、あるいは水性の溶剤によって溶け出し、接着材に含浸する、あるいは接着材と混ぜ合わせたものであれば、赤色や緑色などどのような色であっても構わない。
【００２１】
また、シート基材の材質としてはポリエチレン樹脂の外に、アセテート樹脂、アクリル樹脂、ポリカーボネート樹脂などの透明もしくは半透明のフィルムが使用され、その厚さは、２５μｍ〜１００μｍの範囲が好適である。
【図面の簡単な説明】
【００２２】
【図１】本発明に適用した封印シールの一例を示すための斜視図である。
【図２】図１における裏面図である。
【図３】図２における断面説明図である。
【図４】本発明に適用した封印シールの使用状態を示す説明図である。
【図５】本発明に適用した封印シールの他の例を示すための説明図である。
【符号の説明】
【００２３】
１      封印シール
２      シート基材
３      文字
４      接着材
５      有機顔料
６      収納ケース
【図１】
2008032902.tif 000003
【図２】
2008032902.tif 000004
【図３】
2008032902.tif 000005
【図４】
2008032902.tif 000006
【図５】
2008032902.tif 000007